(57)【特許請求の範囲】
【請求項１】
アダプティヴダウンリンクＣｏＭＰ伝送方法であって、基地局側に適用し、前記方法は、
ダウンリンクＣｏＭＰＵＥのサービングセルに対応するそれぞれの協調セルを決定するステップと、
それぞれの協調セルのセル負荷値を確定するステップと、
それぞれの協調セルのセル負荷値に基づき、前記ダウンリンクＣｏＭＰ  ＵＥに対してそれぞれの協調セルに採用される伝送モードを決定し、各伝送モードに対応する協調セル数を確定するステップと、
各伝送モードに対応する協調セル数に基づき、前記ダウンリンクＣｏＭＰ  ＵＥの伝送モードを決定するステップとを備え、
前記それぞれの協調セルのセル負荷値に基づき、前記ダウンリンクＣｏＭＰ  ＵＥに対してそれぞれの協調セルに採用される伝送モードを決定する、各伝送モードに対応する協調セル数を確定するステップでは、
それぞれの協調セルについて、
前記協調セルのセル負荷値が所定のセル負荷上限しきい値より大きいか等しければ、前記ダウンリンクＣｏＭＰ  ＵＥに対して前記協調セルに採用される伝送モードをＣＢ伝送に決定し、
前記協調セルのセル負荷値が所定のセル負荷下限しきい値より小さいか等しければ、プリセットした条件に基づき、ＪＴ及びＣＳから１種の伝送モードを選定して、前記ダウンリンクＣｏＭＰ  ＵＥに対して前記協調セルに採用される伝送モードとし、
前記協調セルのセル負荷値が所定のセル負荷下限しきい値より大きいがプリセットしたセル負荷上限しきい値より小さければ、前記ダウンリンクＣｏＭＰ  ＵＥと前記協調セルのチャネル相関値を取得し、前記チャネル相関値が所定のチャネル相関性しきい値より大きくなければ、前記ダウンリンクＣｏＭＰ  ＵＥに対して前記協調セルに採用される伝送モードをＣＢ伝送に決定し、さもなければ、プリセットした条件に基づきＪＴ及びＣＳから１種の伝送モードを選定して、前記ダウンリンクＣｏＭＰ  ＵＥに対して前記協調セルに採用される伝送モードとすることを特徴とするアダプティヴダウンリンクＣｏＭＰ伝送方法。
【請求項２】
それぞれの協調セルのセル負荷値を確定することは、
それぞれの協調セルのダウンリンクサービス伝送に必要とする物理リソースブロックＰＲＢ数目及びそれぞれの協調セルの利用可能のＰＲＢ数目を確定し、それぞれの協調セルのダウンリンクサービス伝送に必要となるＰＲＢ数目と利用可能のＰＲＢ数目の比を計算し、それぞれの協調セルのセル負荷値を得ることを特徴とする請求項１に記載のアダプティヴダウンリンクＣｏＭＰ伝送方法。
【請求項３】
プリセットした条件に基づきＪＴ及びＣＳから１種の伝送モードを選定して、前記ダウンリンクＣｏＭＰ  ＵＥに対して前記協調セルに採用される伝送モードとすることは、
前記ダウンリンクＣｏＭＰ  ＵＥがプリセットした条件を満たす場合、前記ダウンリンクＣｏＭＰ  ＵＥに対して前記協調セルに採用される伝送モードをＣＳ伝送に決定し、
さもなければ、前記ダウンリンクＣｏＭＰ  ＵＥの、前記協調セルにおけるダウンリンクチャネルクオリティ値を取得し、前記ダウンリンクチャネルクオリティ値が所定のチャネルクオリティしきい値より大きいかを判断し、大きければ、前記ダウンリンクＣｏＭＰ  ＵＥに対して前記協調セルに採用される伝送モードをＪＴ伝送に決定し、さもなければ、前記ダウンリンクＣｏＭＰ  ＵＥに対して前記協調セルに採用される伝送モードをＣＳ伝送に決定することを特徴とする請求項１に記載のアダプティヴダウンリンクＣｏＭＰ伝送方法。
【請求項４】
前記ダウンリンクＣｏＭＰ  ＵＥがプリセットした条件を満たす場合、前記ダウンリンクＣｏＭＰ  ＵＥに対して前記協調セルに採用される伝送モードをＣＳ伝送に決定することは、
前記ダウンリンクＣｏＭＰ  ＵＥがＴＭ７及びＴＭ８モード以外の他のＴＭモードを採用すると決定する場合、前記ダウンリンクＣｏＭＰ  ＵＥに対して前記協調セルに採用される伝送モードをＣＳ伝送に決定するか、または、
前記ダウンリンクＣｏＭＰ  ＵＥのチャネルＳＲＳリソースと前記協調セルにおけるＵＥのＳＲＳリソースが衝突すると判断する場合、前記ダウンリンクＣｏＭＰ  ＵＥに対して前記協調セルに採用される伝送モードをＣＳ伝送に決定するか、または、
前記ダウンリンクＣｏＭＰ  ＵＥと少なくとも１つのダウンリンクＣｏＭＰ  ＵＥによりリクエストしたＰＲＢ協調リソースが同一の協調セルにおいて重なると判断する場合、前記ダウンリンクＣｏＭＰ  ＵＥに対して前記協調セルに採用される伝送モードをＣＳ伝送に決定することを特徴とする請求項３に記載のアダプティヴダウンリンクＣｏＭＰ伝送方法。
【請求項５】
各伝送モードに対応する協調セル数に基づき、前記ダウンリンクＣｏＭＰ  ＵＥの伝送モードを決定することは、
各伝送モードに対応する協調セル数に基づき、対応の協調セル数最大の少なくとも１種の伝送モードを選出し、
前記少なくとも１種の伝送モードに１種のみの伝送モードが含まれる場合、前記伝送モードを選定して前記ダウンリンクＣｏＭＰ  ＵＥに採用される伝送モードとし、
前記少なくとも１種の伝送モードに少なくとも２種の伝送モードが含まれる場合、プリセットした伝送モードの優先順位により、前記少なくとも１種の伝送モードから最大優先順の伝送モードを選定し、前記最大優先順の伝送モードを前記ダウンリンクＣｏＭＰ  ＵＥに採用される伝送モードとすることを特徴とする請求項１に記載のアダプティヴダウンリンクＣｏＭＰ伝送方法。
【請求項６】
アダプティヴダウンリンクＣｏＭＰ伝送装置であって、基地局側に適用し、前記装置は、
ダウンリンクＣｏＭＰＵＥのサービングセルに対応するそれぞれの協調セルを決定する決定ユニットと、
それぞれの協調セルのセル負荷値を確定する第１確定ユニットと、
それぞれの協調セルのセル負荷値に基づき、前記ダウンリンクＣｏＭＰ  ＵＥに対してそれぞれの協調セルに採用される伝送モードを決定し、各伝送モードに対応する協調セル数を確定する第２確定ユニットと、
各伝送モードに対応する協調セル数に基づき、前記ダウンリンクＣｏＭＰ  ＵＥの伝送モードを決定する処理ユニットとを備え、
それぞれの協調セルのセル負荷値に基づき、前記ダウンリンクＣｏＭＰ  ＵＥに対してそれぞれの協調セルに採用される伝送モードを決定する場合、前記第２確定ユニットは、
それぞれの協調セルについて、  前記協調セルのセル負荷値が所定のセル負荷上限しきい値より大きいか等しければ、前記ダウンリンクＣｏＭＰ  ＵＥに対して前記協調セルに採用される伝送モードをＣＢ伝送に決定し、
前記協調セルのセル負荷値が所定のセル負荷下限しきい値より小さいか等しければ、プリセットした条件に基づき、ＪＴ及びＣＳから１種の伝送モードを選定して、前記ダウンリンクＣｏＭＰ  ＵＥに対して前記協調セルに採用される伝送モードとし、
前記協調セルのセル負荷値が所定のセル負荷下限しきい値より大きいがプリセットしたセル負荷上限しきい値より小さければ、前記ダウンリンクＣｏＭＰ  ＵＥと前記協調セルのチャネル相関値を取得し、前記チャネル相関値が所定のチャネル相関性しきい値より大きくなければ、前記ダウンリンクＣｏＭＰ  ＵＥに対して前記協調セルに採用される伝送モードをＣＢ伝送に決定し、さもなければ、プリセットした条件に基づきＪＴ及びＣＳから１種の伝送モードを選定して、前記ダウンリンクＣｏＭＰ  ＵＥに対して前記協調セルに採用される伝送モードとすることを特徴とするアダプティヴダウンリンクＣｏＭＰ伝送装置。
【請求項７】
それぞれの協調セルのセル負荷値を確定する場合、前記第１確定ユニットは、
それぞれの協調セルのダウンリンクサービス伝送に必要とする物理リソースブロックＰＲＢ数目及びそれぞれの協調セルの利用可能のＰＲＢ数目を確定し、それぞれの協調セルのダウンリンクサービス伝送に必要となるＰＲＢ数目と利用可能のＰＲＢ数目の比を計算し、それぞれの協調セルのセル負荷値を得ることを特徴とする請求項６に記載のアダプティヴダウンリンクＣｏＭＰ伝送装置。
【請求項８】
プリセットした条件に基づきＪＴ及びＣＳから１種の伝送モードを選定して、前記ダウンリンクＣｏＭＰ  ＵＥに対して前記協調セルに採用される伝送モードとする場合、前記第２確定ユニットは、
前記ダウンリンクＣｏＭＰ  ＵＥがプリセットした条件を満たす場合、前記ダウンリンクＣｏＭＰ  ＵＥに対して前記協調セルに採用される伝送モードをＣＳ伝送に決定し、
さもなければ、前記ダウンリンクＣｏＭＰ  ＵＥの、前記協調セルにおけるダウンリンクチャネルクオリティ値を取得し、前記ダウンリンクチャネルクオリティ値が所定のチャネルクオリティしきい値より大きいかを判断し、大きければ、前記ダウンリンクＣｏＭＰ  ＵＥに対して前記協調セルに採用される伝送モードをＪＴ伝送に決定し、さもなければ、前記ダウンリンクＣｏＭＰ  ＵＥに対して前記協調セルに採用される伝送モードをＣＳ伝送に決定することを特徴とする請求項６に記載のアダプティヴダウンリンクＣｏＭＰ伝送装置。
【請求項９】
前記ダウンリンクＣｏＭＰ  ＵＥがプリセットした条件を満たす場合、前記ダウンリンクＣｏＭＰ  ＵＥに対して前記協調セルに採用される伝送モードをＣＳ伝送に決定する場合、前記第２確定ユニットは、
前記ダウンリンクＣｏＭＰ  ＵＥがＴＭ７及びＴＭ８モード以外の他のＴＭモードを採用すると決定する場合、前記ダウンリンクＣｏＭＰ  ＵＥに対して前記協調セルに採用される伝送モードをＣＳ伝送に決定するか、または、
前記ダウンリンクＣｏＭＰ  ＵＥのチャネルＳＲＳリソースと前記協調セルにおけるＵＥのＳＲＳリソースが衝突すると判断する場合、前記ダウンリンクＣｏＭＰ  ＵＥに対して前記協調セルに採用される伝送モードをＣＳ伝送に決定するか、または、
前記ダウンリンクＣｏＭＰ  ＵＥと少なくとも１つのダウンリンクＣｏＭＰ  ＵＥによりリクエストしたＰＲＢ協調リソースが同一の協調セルにおいて重なると判断する場合、前記ダウンリンクＣｏＭＰ  ＵＥに対して前記協調セルに採用される伝送モードをＣＳ伝送に決定することを特徴とする請求項８に記載のアダプティヴダウンリンクＣｏＭＰ伝送装置。
【請求項１０】
各伝送モードに対応する協調セル数に基づき、前記ダウンリンクＣｏＭＰ  ＵＥの伝送モードを決定する場合、前記処理ユニットは、
各伝送モードに対応する協調セル数に基づき、対応の協調セル数最大の少なくとも１種の伝送モードを選出し、
前記少なくとも１種の伝送モードに１種のみの伝送モードが含まれる場合、前記伝送モードを選定して前記ダウンリンクＣｏＭＰ  ＵＥに採用される伝送モードとし、
前記少なくとも１種の伝送モードに少なくとも２種の伝送モードが含まれる場合、プリセットした伝送モードの優先順位により、前記少なくとも１種の伝送モードから最大優先順の伝送モードを選定し、前記最大優先順の伝送モードを前記ダウンリンクＣｏＭＰ  ＵＥに採用される伝送モードとすることを特徴とする請求項６に記載のアダプティヴダウンリンクＣｏＭＰ伝送装置。
【発明の詳細な説明】
【技術分野】
【０００１】
本発明は無線技術分野に関し、特にアダプティヴダウンリンクＣｏＭＰ伝送方法及び装置に関する。
【背景技術】
【０００２】
ＬＴＥ（Ｌｏｎｇ Ｔｅｒｍ Ｅｖｏｌｕｔｉｏｎ）システムにおいて、ＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）技術が採用されているため、セル内の干渉が一般的に小さいが、セル間周波数多重の原因で、セル間干渉が大きい、ＬＴＥシステムにおける主要な干渉となり、セルエッジのところの性能が劣る。セルエッジとこのユーザーの性能を向上して、セルエッジのスペ クトラム効率の要求を満たすため、ＬＴＥ−Ａ（Ｌｏｎｇ Ｔｅｒｍ Ｅｖｏｌｕｔｉｏｎ−Ａｄｖａｎｃｅｄ）システムには、ＣｏＭＰ（Ｃｏｏｒｄｉｎａｔｅｄ Ｍｕｌｔｉ−Ｐｏｉｎｔｓ Ｒｅｃｅｐｔｉｏｎ，ＣｏＭＰ）技術が導入された。ＣｏＭＰ技術は、複数の隣接の基地局またはノードの協調により、同一のセルエッジのユーザーのために同時にサービスを提供することにより、セルエッジのユーザーの、隣接セルからの同じ周波数による干渉を低減し、セルエッジのユーザーのサービス質を向上する。ここで、ダウンリンクＣｏＭＰ伝送技術は、ＪＴ（Ｊｏｉｎｔ Ｔｒａｎｓｍｉｓｓｉｏｎ）と、ＣＳ/ＣＢ（Ｃｏｏｒｄｉｎａｔｅｄ Ｓｃｈｅｄｕｌｉｎｇ/Ｂｅａｍｆｏｒｍｉｎｇ）とを主に分けられる。
【０００３】
ＪＴの場合、サービングセル及び協調セルは、同様な時間・周波数リソースにおいて同時に同一のセルエッジのＵＥに同様なＰＤＳＣＨ（Ｐｈｙｓｉｃａｌ  Ｄｏｗｎｌｉｎｋ  Ｓｈａｒｅｄ  Ｃｈａｎｎｅｌ）データを送信し、隣接セルの同じ周波数による干渉及びダウンリンク信号の重ね合わせを解消したため、セルエッジのＵＥのダウンリンク性能を向上することができる。ＣＳの場合、サービングセルはセルエッジのＵＥ（Ｕｓｅｒ  Ｅｑｕｉｐｍｅｎｔ）にＰＤＳＣＨダウンリンクデータを送信し、協調セルは同様な時間・周波数リソースにおいてＰＤＳＣＨデータを送信しないため、隣接セルの同じ周波数による干渉を解消することができ、セルエッジのダウンリンク性能を向上する。ＣＢの場合、サービングセル及び協調セルは、同様な時間・周波数リソースにおいて、異なるＵＥにダウンリンクデータを送信するが、サービングセルのＵＥ及び協調セルのＵＥの成形ビームをずらしておく必要があり、こうして、お互いの干渉を減らして、セルエッジのＵＥのダウンリンク性能を向上する。
【０００４】
ダウンリンクＣｏＭＰ伝送技術において、ＪＴ及びＣＳは、エッジのユーザーの、隣接セルのユーザーからの同じ周波数による干渉を効果的に減らすことができるが、協調セルの時間・周波数リソースを別途に占有しないといけないため、協調セルの負荷が大きい場合、ＪＴ及びＣＳは、協調セルの平均スループットを縮小する。一方、ＣＢの場合、セルの平均スループットに明らかな影響がないが、協調ＵＥのＣＢベクトルを調整する必要があるため、協調ＵＥの性能をある程度に低減する。
よって、従来のダウンリンクＣｏＭＰ技術は、単にある１つのダウンリンクＣｏＭＰ伝送モード（ＪＴ、ＣＳまたはＣＢ）を採用するため、ネットワーク環境変換を動的に適応できず、瞬変の無線チャネル環境及びセル負荷環境において、優れる性能を発揮できない。
【発明の概要】
【発明が解決しようとする課題】
【０００５】
本発明の目的は、アダプティヴダウンリンクＣｏＭＰ伝送方法及び装置を提供して、従来ダウンリンクＣｏＭＰ技術がネットワーク環境を動的に適応できない問題点を解決する。
【課題を解決するための手段】
【０００６】
本発明の目的は以下の技術案により実現できる。
アダプティヴダウンリンクＣｏＭＰ伝送方法は、基地局側に適用し、
ダウンリンクＣｏＭＰＵＥのサービングセルに対応するそれぞれの協調セル（ｃｏｏｒｄｉｎａｔｉｎｇ ｃｅｌｌ）を決定するステップと、
それぞれの協調セルのセル負荷値を確定するステップと、
それぞれの協調セルのセル負荷値に基づき、前記ダウンリンクＣｏＭＰ ＵＥに対してそれぞれの協調セルに採用される伝送モードを決定し、各伝送モードに対応する協調セル数を確定するステップと、
各伝送モードに対応する協調セル数に基づき、前記ダウンリンクＣｏＭＰ ＵＥの伝送モードを決定するステップとを備える。
【０００７】
こうして、従来ダウンリンクＣｏＭＰ技術がネットワーク環境を動的に適応できない問題点を解決できるようになり、セルエッジのユーザー性能を向上する同時に、セルの平均スループット率を低減させず、ダウンリンクＣｏＭＰ性能全体を向上する。
必要に応じて、それぞれの協調セルのセル負荷値を確定することは、
それぞれの協調セルのダウンリンクサービス伝送に必要とする物理リソースブロック（Ｐｈｙｓｉｃａｌ  Ｒｅｓｏｕｒｃｅ Ｂｌｏｃｋ，ＰＲＢ）数目及びそれぞれの協調セルの利用可能のＰＲＢ数目を確定し、それぞれの協調セルのダウンリンクサービス伝送に必要となるＰＲＢ数目と利用可能のＰＲＢ数目の比を計算し、それぞれの協調セルのセル負荷値を得る。
【０００８】
必要に応じて、それぞれの協調セルのセル負荷値に基づき、前記ダウンリンクＣｏＭＰ ＵＥに対してそれぞれの協調セルに採用される伝送モードを決定することは、
それぞれの協調セルについて、
前記協調セルのセル負荷値が所定のセル負荷上限しきい値より大きいか等しければ、前記ダウンリンクＣｏＭＰ ＵＥに対して前記協調セルに採用される伝送モードをＣＢ伝送に決定し、
前記協調セルのセル負荷値が所定のセル負荷下限しきい値より小さいか等しければ、プリセットした条件に基づき、ＪＴ及びＣＳから１種の伝送モードを選定して、前記ダウンリンクＣｏＭＰ ＵＥに対して前記協調セルに採用される伝送モードとし、
前記協調セルのセル負荷値が所定のセル負荷下限しきい値より大きいがプリセットしたセル負荷上限しきい値より小さければ、前記ダウンリンクＣｏＭＰ ＵＥと前記協調セルのチャネル相関値を取得し、前記チャネル相関値が所定のチャネル相関性しきい値より大きくなければ、前記ダウンリンクＣｏＭＰ ＵＥに対して前記協調セルに採用される伝送モードをＣＢ伝送に決定し、さもなければ、プリセットした条件に基づきＪＴ及びＣＳから１種の伝送モードを選定して、前記ダウンリンクＣｏＭＰ ＵＥに対して前記協調セルに採用される伝送モードとする。
【０００９】
必要に応じて、プリセットした条件に基づきＪＴ及びＣＳから１種の伝送モードを選定して、前記ダウンリンクＣｏＭＰ ＵＥに対して前記協調セルに採用される伝送モードとすることは、
前記ダウンリンクＣｏＭＰ ＵＥがプリセットした条件を満たす場合、前記ダウンリンクＣｏＭＰ ＵＥに対して前記協調セルに採用される伝送モードをＣＳ伝送に決定し、
さもなければ、前記ダウンリンクＣｏＭＰ ＵＥの、前記協調セルにおけるダウンリンクチャネルクオリティ値を取得し、前記ダウンリンクチャネルクオリティ値が所定のチャネルクオリティしきい値より大きいかを判断し、大きければ、前記ダウンリンクＣｏＭＰ ＵＥに対して前記協調セルに採用される伝送モードをＪＴ伝送に決定し、さもなければ、前記ダウンリンクＣｏＭＰ ＵＥに対して前記協調セルに採用される伝送モードをＣＳ伝送に決定する。
【００１０】
必要に応じて、前記ダウンリンクＣｏＭＰ ＵＥがプリセットした条件を満たす場合、前記ダウンリンクＣｏＭＰ ＵＥに対して前記協調セルに採用される伝送モードをＣＳ伝送に決定することは、
前記ダウンリンクＣｏＭＰ ＵＥがＴＭ７及びＴＭ８モード以外の他のＴＭモードを採用すると決定する場合、前記ダウンリンクＣｏＭＰ ＵＥに対して前記協調セルに採用される伝送モードをＣＳ伝送に決定するか、または、
前記ダウンリンクＣｏＭＰ ＵＥのチャネルＳＲＳ（Ｓｏｕｎｄｉｎｇ Ｒｅｆｅｒｅｎｃｅ Ｓｉｇｎａｌ）リソースと前記協調セルにおけるＵＥのＳＲＳリソースが衝突すると判断する場合、前記ダウンリンクＣｏＭＰ ＵＥに対して前記協調セルに採用される伝送モードをＣＳ伝送に決定するか、または、
前記ダウンリンクＣｏＭＰ ＵＥと少なくとも１つのダウンリンクＣｏＭＰ ＵＥによりリクエストしたＰＲＢ協調リソースが同一の協調セルにおいて重なると判断する場合、前記ダウンリンクＣｏＭＰ ＵＥに対して前記協調セルに採用される伝送モードをＣＳ伝送に決定する。
【００１１】
必要に応じて、各伝送モードに対応する協調セル数に基づき、前記ダウンリンクＣｏＭＰ ＵＥの伝送モードを決定することは、
各伝送モードに対応する協調セル数に基づき、対応の協調セル数最大の少なくとも１種の伝送モードを選出し、
前記少なくとも１種の伝送モードに１種のみの伝送モードが含まれる場合、前記伝送モードを選定して前記ダウンリンクＣｏＭＰ ＵＥに採用される伝送モードとし、
前記少なくとも１種の伝送モードに少なくとも２種の伝送モードが含まれる場合、プリセットした伝送モードの優先順位により、前記少なくとも１種の伝送モードから最大優先順の伝送モードを選定し、前記最大優先順の伝送モードを前記ダウンリンクＣｏＭＰ ＵＥに採用される伝送モードとする。
アダプティヴダウンリンクＣｏＭＰ伝送装置は、基地局側に適用し、ダウンリンクＣｏＭＰＵＥのサービングセルに対応するそれぞれの協調セルを決定する決定ユニットと、
それぞれの協調セルのセル負荷値を確定する第１確定ユニットと、
それぞれの協調セルのセル負荷値に基づき、前記ダウンリンクＣｏＭＰ ＵＥに対してそれぞれの協調セルに採用される伝送モードを決定し、各伝送モードに対応する協調セル数を確定する第２確定ユニットと、
各伝送モードに対応する協調セル数に基づき、前記ダウンリンクＣｏＭＰ ＵＥの伝送モードを決定する処理ユニットとを備える。
【００１２】
こうして、従来ダウンリンクＣｏＭＰ技術がネットワーク環境を動的に適応できない問題点を解決できるようになり、セルエッジのユーザー性能を向上する同時に、セルの平均スループット率を低減させず、ダウンリンクＣｏＭＰ性能全体を向上する。
必要に応じて、それぞれの協調セルのセル負荷値を確定する場合、前記第１確定ユニットは、
それぞれの協調セルのダウンリンクサービス伝送に必要となるＰＲＢ数目及びそれぞれの協調セルの利用可能のＰＲＢ数目を確定し、それぞれの協調セルのダウンリンクサービス伝送に必要となるＰＲＢ数目と利用可能のＰＲＢ数目の比を計算し、それぞれの協調セルのセル負荷値を得る。
必要に応じて、それぞれの協調セルのセル負荷値に基づき、前記ダウンリンクＣｏＭＰ ＵＥに対してそれぞれの協調セルに採用される伝送モードを決定する場合、前記第２確定ユニットは、
それぞれの協調セルについて、
前記協調セルのセル負荷値が所定のセル負荷上限しきい値より大きいか等しければ、前記ダウンリンクＣｏＭＰ ＵＥに対して前記協調セルに採用される伝送モードをＣＢ伝送に決定し、
前記協調セルのセル負荷値が所定のセル負荷下限しきい値より小さいか等しければ、プリセットした条件に基づき、ＪＴ及びＣＳから１種の伝送モードを選定して、前記ダウンリンクＣｏＭＰ ＵＥに対して前記協調セルに採用される伝送モードとし、
前記協調セルのセル負荷値が所定のセル負荷下限しきい値より大きいがプリセットしたセル負荷上限しきい値より小さければ、前記ダウンリンクＣｏＭＰ ＵＥと前記協調セルのチャネル相関値を取得し、前記チャネル相関値が所定のチャネル相関性しきい値より大きくなければ、前記ダウンリンクＣｏＭＰ ＵＥに対して前記協調セルに採用される伝送モードをＣＢ伝送に決定し、さもなければ、プリセットした条件に基づきＪＴ及びＣＳから１種の伝送モードを選定して、前記ダウンリンクＣｏＭＰ ＵＥに対して前記協調セルに採用される伝送モードとする。
【００１３】
必要に応じて、プリセットした条件に基づきＪＴ及びＣＳから１種の伝送モードを選定して、前記ダウンリンクＣｏＭＰ ＵＥに対して前記協調セルに採用される伝送モードとする場合、前記第２確定ユニットは、
前記ダウンリンクＣｏＭＰ ＵＥがプリセットした条件を満たす場合、前記ダウンリンクＣｏＭＰ ＵＥに対して前記協調セルに採用される伝送モードをＣＳ伝送に決定し、
さもなければ、前記ダウンリンクＣｏＭＰ ＵＥの、前記協調セルにおけるダウンリンクチャネルクオリティ値を取得し、前記ダウンリンクチャネルクオリティ値が所定のチャネルクオリティしきい値より大きいかを判断し、大きければ、前記ダウンリンクＣｏＭＰ ＵＥに対して前記協調セルに採用される伝送モードをＪＴ伝送に決定し、さもなければ、前記ダウンリンクＣｏＭＰ ＵＥに対して前記協調セルに採用される伝送モードをＣＳ伝送に決定する。
【００１４】
必要に応じて、前記ダウンリンクＣｏＭＰ ＵＥがプリセットした条件を満たす場合、前記ダウンリンクＣｏＭＰ ＵＥに対して前記協調セルに採用される伝送モードをＣＳ伝送に決定する場合、前記第２確定ユニットは、
前記ダウンリンクＣｏＭＰ ＵＥがＴＭ７及びＴＭ８モード以外の他のＴＭモードを採用すると決定する場合、前記ダウンリンクＣｏＭＰ ＵＥに対して前記協調セルに採用される伝送モードをＣＳ伝送に決定するか、または、
前記ダウンリンクＣｏＭＰ ＵＥのチャネルＳＲＳリソースと前記協調セルにおけるＵＥのＳＲＳリソースが衝突すると判断する場合、前記ダウンリンクＣｏＭＰ ＵＥに対して前記協調セルに採用される伝送モードをＣＳ伝送に決定するか、または、
前記ダウンリンクＣｏＭＰ ＵＥと少なくとも１つのダウンリンクＣｏＭＰ ＵＥによりリクエストしたＰＲＢ協調リソースが同一の協調セルにおいて重なると判断する場合、前記ダウンリンクＣｏＭＰ ＵＥに対して前記協調セルに採用される伝送モードをＣＳ伝送に決定し、
必要に応じて、各伝送モードに対応する協調セル数に基づき、前記ダウンリンクＣｏＭＰ ＵＥの伝送モードを決定する場合、前記処理ユニットは、
各伝送モードに対応する協調セル数に基づき、対応の協調セル数最大の少なくとも１種の伝送モードを選出し、
前記少なくとも１種の伝送モードに１種のみの伝送モードが含まれる場合、前記伝送モードを選定して前記ダウンリンクＣｏＭＰ ＵＥに採用される伝送モードとし、
前記少なくとも１種の伝送モードに少なくとも２種の伝送モードが含まれる場合、プリセットした伝送モードの優先順位により、前記少なくとも１種の伝送モードから最大優先順の伝送モードを選定し、前記最大優先順の伝送モードを前記ダウンリンクＣｏＭＰ ＵＥに採用される伝送モードとする。
【００１５】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図面の簡単な説明】
【００１６】
【図１】は本発明に係る実施例のアダプティヴＣｏＭＰ伝送方法のフローチャートである。
【図２】は本発明に係る実施例のアダプティヴＣｏＭＰ伝送装置の構造図である。
【発明を実施するための形態】
【００１７】
以下に本発明に係る実施形態において図面を結合して本発明の実施形態における技術方案について詳細に、完全に説明するが、次に陳述する実施形態は単に本発明のいくつかの実施形態であり、その全てではない。本分野の一般の技術者にとって、創造性的労働をしなくても、これらの実施形態に基づいてその他の実施形態を容易に獲得することができ、全て本発明の保護範囲に属することは明白である。
従来技術には、ＪＴ、ＣＳ、ＣＢのような伝送モードの適応案を規定しておらず、実際のＪＴ、ＣＳ及びＣＢの応用シナリオがそれぞれとなるため、本発明に係る実施例には、新しいＪＴ/ＣＳ/ＣＢへの適応技術案を提出し、単なるのＪＴ、ＣＳまたはＣＢを採用する案より、本発明の技術案は、ダウンリンクＣｏＭＰにネットワーク環境の変化に動的に適応できるようにし、ダウンリンクＣｏＭＰ性能全体を向上することができる。具体的に、本発明に係る実施例は、セル負荷、チャネル相関性、無線リソース状態、伝送モード（Ｔｒａｎｓｍｉｓｓｉｏｎ Ｍｏｄｅ，ＴＭ）及びダウンリンクチャネルクオリティ（Ｃｈａｎｎｅｌ Ｑｕａｌｉｔｙ Ｉｎｄｉｃａｔｏｒ，ＣＱＩ）等の情報に基づいてＪＴ/ＣＳ/ＣＢへの適応選択する概念を革新的に提出し、セル負荷要素も、チャネル状態及び無線リソース状態等の要素も考慮し、セルエッジのユーザー性能を向上する同時に、セルの平均スループット率を縮小せず、ダウンリンクＣｏＭＰ性能を全体的に向上することができる。
【００１８】
図１に示すように、本発明に係る実施例が提供するアダプティヴダウンリンクＣｏＭＰ伝送方法は、基地局側に適用し、そのフローチャートの詳細は以下とおりである。
ステップ１００：ダウンリンクＣｏＭＰ ＵＥのサービングセルに対応するそれぞれの協調セルを決定する。
例えば、１つのダウンリンクＣｏＭＰ ＵＥをＵＥ１と仮定し、従来技術によりＵＥ１のサービングセル及びそれぞれの協調セルを決定し、前記ＵＥ１の協調セル数目は少なくとも１である。
ステップ１０１：それぞれの協調セルのセル負荷値を確定する。
【００１９】
具体的に、それぞれの協調セルのセル負荷値を確定する詳細の流れとして、それぞれの協調セルのダウンリンクサービス伝送に必要となるＰＲＢ数目及びそれぞれの協調セルの利用可能のＰＲＢ数目を確定し、それぞれの協調セルのダウンリンクサービス伝送に必要となるＰＲＢ数目と利用可能のＰＲＢ数目の比を計算し、それぞれの協調セルのセル負荷値を得る。
ステップ１０２：それぞれの協調セルのセル負荷値に基づき、それぞれの前記ダウンリンクＣｏＭＰ ＵＥに対して協調セルに採用される伝送モードを決定し、各伝送モードに対応する協調セル数を確定する。
具体的に、それぞれの協調セルのセル負荷値に基づき、前記ダウンリンクＣｏＭＰ ＵＥに対してそれぞれの協調セルに採用される伝送モードを決定する場合、それぞれの協調セルのセル負荷値を基づく必要がある。セル負荷しきい値は、セル負荷上限しきい値及びセル負荷下限しきい値を含む。ダウンリンクＣｏＭＰ ＵＥに対してそれぞれの協調セルに採用される伝送モードをさらに決定するのに、以下の３つの場合がある。
【００２０】
場合１：１つの協調セルのセル負荷値が所定のセル負荷上限しきい値より大きいか等しければ、前記ＣＢ伝送に決定する。
場合２：１つの協調セルのセル負荷値が所定のセル負荷下限しきい値より小さいか等しければ、プリセットした条件に基づき、ＪＴ及びＣＳから１種の伝送モードを選定して前記ダウンリンクＣｏＭＰ ＵＥに対する前記１つの協調セルの伝送モードとする。
場合３：１つの協調セルのセル負荷値が所定のセル負荷下限しきい値よりおおきいがプリセットしたセル負荷上限しきい値より小さければ、前記ダウンリンクＣｏＭＰ ＵＥと前記１つの協調セルのチャネル相関値を取得し、前記チャネル相関値が所定のチャネル相関性しきい値より大きくないと判断すれば、前記ＣＢ伝送に決定し、さもなければ、プリセットした条件に基づきＪＴ及びＣＳから１種の伝送モードを選定して、前記ダウンリンクＣｏＭＰ ＵＥに対する前記１つの協調セルの伝送モードとする。
例えば、あるダウンリンクＣｏＭＰ ＵＥをＵＥ１と仮定し、前記ＵＥ１の協調セルをＰ１，Ｐ２，Ｐ３とし、所定のセル負荷上限しきい値をＲｌuとし、セル負荷下限しきい値をＲｌdとし、区間[Ｒｌd，Ｒｌu]を利用してセル負荷値を三つの場合に分ける見る。協調セルＰ１のセル負荷値がＲｌuより大きいと仮定し、Ｐ１の前記ＵＥ１に対して前記協調セルＰ１に採用される伝送モードをＣＢ伝送に決定する。協調セルＰ２のセル負荷値がＲｌdより小さいと仮定し、前記ＵＥ１に対して前記協調セルＰ１に採用される伝送モードをＪＴまたはＣＳに決定する。具体的にどちらの伝送モードにするのかは、システムのプリセットした条件に基づいてさらに決定すべきである。協調セルＰ３のセル負荷値がＲｌdより大きいかＲｌuより小さいと仮定し、前記ＵＥ１と前記協調セルＰ３のチャネル相関値をさらに取得する必要があり、前記チャネル相関値が所定のチャネル相関性しきい値より大きくないと判断すれば、前記ＵＥ１に対して前記協調セルＰ３に採用される伝送モードをＣＢ伝送に決定し、さもなければ、前記ＵＥ１に対して前記協調セルＰ３に採用される伝送モードをＪＴまたはＣＳにし、同様に、具体的にどちらの伝送モードにするのかは、システムのプリセットした条件に基づいてさらに決定すべきである。
【００２１】
具体的に、プリセットした条件に基づきＪＴ及びＣＳから１種の伝送モードを選定して、前記ダウンリンクＣｏＭＰ ＵＥに対する前記１つの協調セルの伝送モードとする詳細の流れは、前記ダウンリンクＣｏＭＰ ＵＥがプリセットした条件を満たする判断する場合、前記ダウンリンクＣｏＭＰ ＵＥに対して前記１つの協調セルに採用される伝送モードをＣＳ伝送に決定し、さもなければ、前記ダウンリンクＣｏＭＰ ＵＥの前記１つの協調セルにおけるダウンリンクチャネルクオリティ値をさらに取得し、前記ダウンリンクチャネルクオリティ値が所定のチャネルクオリティしきい値より大きいかを判断し、大きければ、前記ダウンリンクＣｏＭＰ ＵＥに対して前記１つの協調セルに採用される伝送モードをＪＴ伝送に決定し、さもなければ、前記ダウンリンクＣｏＭＰ ＵＥに対して前記１つの協調セルに採用される伝送モードをＣＳ伝送に決定する。
具体的に、前記ダウンリンクＣｏＭＰ ＵＥの、協調セルにおけるダウンリンクチャネルクオリティ値は、ＳＲＳ（Ｓｏｕｎｄｉｎｇ Ｒｅｆｅｒｅｎｃｅ Ｓｉｇｎａｌ，ＳＲＳ）測定結果により得られ、即ち、協調セルにおいて受信したダウンリンクＣｏＭＰ ＵＥのＳＲＳ信号の測定により、アップリンクＣＱＩを得、チャネル互酬性に従って、ダウンリンクＣｏＭＰ ＵＥのアップリンクＣＱＩをダウンリンクＣＱＩと等価する。当規則はＴＤ−ＬＴＥシステムのみに適用する。
【００２２】
具体的に、前記ダウンリンクＣｏＭＰ ＵＥがプリセットした条件を満たする判断する場合、前記ダウンリンクＣｏＭＰ ＵＥに対して前記１つの協調セルに採用される伝送モードをＣＳ伝送に決定し、ここで、プリセットした条件とは以下の規則を含む。
規則１：前記ダウンリンクＣｏＭＰ ＵＥがＴＭ７及びＴＭ８モード以外の他のＴＭモードを採用すると判断する場合、前記ダウンリンクＣｏＭＰ ＵＥに対して前記１つの協調セルに採用される伝送モードをＣＳ伝送に決定する。
規則２：前記ダウンリンクＣｏＭＰ ＵＥのＳＲＳリソースと前記１つの協調セルにおけるＵＥのチャネルＳＲＳ（Ｓｏｕｎｄｉｎｇ Ｒｅｆｅｒｅｎｃｅ Ｓｉｇｎａｌ，ＳＲＳ）リソースが衝突すると判断する場合、前記ダウンリンクＣｏＭＰ ＵＥに対して前記１つの協調セルに採用される伝送モードをＣＳ伝送に決定する。
規則３：前記ダウンリンクＣｏＭＰ ＵＥと少なくとも１つのダウンリンクＣｏＭＰ ＵＥによりリクエストする物理リソースブロック（Ｐｈｙｓｉｃａｌ  Ｒｅｓｏｕｒｃｅ Ｂｌｏｃｋ，ＰＲＢ）協調リソースが同一の協調セルにおいて重なると判断する場合、前記ダウンリンクＣｏＭＰ ＵＥに対して前記１つの協調セルに採用される伝送モードをＣＳ伝送に決定する。
【００２３】
ステップ１０３：各伝送モードに対応する協調セル数に基づき、前記ダウンリンクＣｏＭＰ ＵＥの伝送モードを決定する。
具体的に、各伝送モードに対応する協調セル数に基づき、前記ダウンリンクＣｏＭＰ ＵＥの伝送モードを決定する詳細な流れとして、各伝送モードに対応する協調セル数に基づき、対応の協調セル数最大の少なくとも１種の伝送モードを選出し、前記少なくとも１種の伝送モードに１種のみの伝送モードが含まれる場合、前記伝送モードを選定して前記ダウンリンクＣｏＭＰ ＵＥに採用される伝送モードとする。前記少なくとも１種の伝送モードに少なくとも２種の伝送モードが含まれる場合、プリセットした伝送モードの優先順位により、前記少なくとも１種の伝送モードから最大優先順の伝送モードを選定し、前記最大優先順の伝送モードを前記ダウンリンクＣｏＭＰ ＵＥに採用される伝送モードとする。
【００２４】
例えば、１つのダウンリンクＣｏＭＰ ＵＥのそれぞれの協調セルにおいて決定されたダウンリンクＣｏＭＰ伝送モード（ＪＴ、ＣＳまたはＣＢ）が一致ではなければ、基地局がそれぞれの協調セルに異なるダウンリンクＣｏＭＰ伝送モードを採用することを支援する場合、それぞれの協調セルには、決定したそれぞれのダウンリンクＣｏＭＰ伝送モードが採用され、さもなければ、それぞれの協調セルのダウンリンクＣｏＭＰ伝送モードを調整して、それぞれの協調セルに同様なダウンリンクＣｏＭＰ伝送モードを採用するようにする。調整策として以下とおりである。
ダウンリンクＣｏＭＰ ＵＥの全部の協調セルのうち、ＪＴを採用する協調セル数がＮＪＴ、ＣＳを採用する協調セル数がＮＣＳ、ＣＢを採用する協調セル数がＮＣＢであり、ここで、ＣＳ優先順が最大であり、その次はＣＢの優先順、最後はＪＴの優先順であり、この場合の調整策は以下とおりである。
（１）ＮＪＴ > ＮＣＳ且ＮＪＴ > ＮＣＢであれば、全部の協調セルにはＪＴが採用される。ＮＣＳ > ＮＪＴ且ＮＣＳ > ＮＣＢであれば、全部の協調セルにはＣＳが採用される。ＮＣＢ > ＮＣＳ且ＮＣＢ > ＮＪＴであれば、全部の協調セルにはＣＢが採用される。
（２）ＮＪＴ = ＮＣＳ且ＮＪＴ ≧ ＮＣＢであれば、全部の協調セルにはＣＳが採用される。ＮＣＢ = ＮＣＳ且ＮＣＢ ≧ ＮＪＴであれば、全部の協調セルにはＣＳが採用される。ＮＣＢ = ＮＪＴ且ＮＣＢ > ＮＣＳであれば、全部の協調セルにはＣＢが採用される。
【００２５】
さらに、前記ダウンリンクＣｏＭＰ ＵＥに対して協調セルに採用される伝送モードを前記ダウンリンクＣｏＭＰ ＵＥの伝送モードとする。
以上のような技術をベースとし、図２に示すように、本発明に係る実施例が提供するアダプティヴダウンリンクＣｏＭＰＣｏＭＰ伝送装置は、決定ユニット２０と、第１確定ユニット２１と、第２確定ユニット２２と、処理ユニット２３とを備える。
前記決定ユニット２０は、ダウンリンクＣｏＭＰＵＥのサービングセルに対応するそれぞれの協調セルを決定する。
前記第１確定ユニット２１は、それぞれの協調セルのセル負荷値を確定する。
前記第２確定ユニット２２は、それぞれの協調セルのセル負荷値に基づき、前記ダウンリンクＣｏＭＰ ＵＥに対してそれぞれの協調セルに採用される伝送モードを決定し、各伝送モードに対応する協調セル数を確定する。
前記処理ユニット２３は、各伝送モードに対応する協調セル数に基づき、前記ダウンリンクＣｏＭＰ ＵＥの伝送モードを決定する。
必要に応じて、それぞれの協調セルのセル負荷値を確定する場合、第１確定ユニット２１は、
それぞれの協調セルのダウンリンクサービス伝送に必要となるＰＲＢ数目及びそれぞれの協調セルの利用可能のＰＲＢ数目を確定し、それぞれの協調セルのダウンリンクサービス伝送に必要となるＰＲＢ数目と利用可能のＰＲＢ数目の比を計算し、それぞれの協調セルのセル負荷値を得る。
【００２６】
必要に応じて、それぞれの協調セルのセル負荷値に基づき、前記ダウンリンクＣｏＭＰ ＵＥに対してそれぞれの協調セルに採用される伝送モードを決定する場合、第２確定ユニット２２は、
それぞれの協調セルについて、
前記協調セルのセル負荷値が所定のセル負荷上限しきい値より大きいか等しければ、前記ダウンリンクＣｏＭＰ ＵＥに対して前記協調セルに採用される伝送モードをＣＢ伝送に決定し、
前記協調セルのセル負荷値が所定のセル負荷下限しきい値より小さいか等しければ、プリセットした条件に基づき、ＪＴ及びＣＳから１種の伝送モードを選定して、前記ダウンリンクＣｏＭＰ ＵＥに対して前記協調セルに採用される伝送モードとし、
前記協調セルのセル負荷値が所定のセル負荷下限しきい値より大きいがプリセットしたセル負荷上限しきい値より小さければ、前記ダウンリンクＣｏＭＰ ＵＥと前記協調セルのチャネル相関値を取得し、前記チャネル相関値が所定のチャネル相関性しきい値より大きくなければ、前記ダウンリンクＣｏＭＰ ＵＥに対して前記協調セルに採用される伝送モードをＣＢ伝送に決定し、さもなければ、プリセットした条件に基づきＪＴ及びＣＳから１種の伝送モードを選定して、前記ダウンリンクＣｏＭＰ ＵＥに対して前記協調セルに採用される伝送モードとする。
【００２７】
必要に応じて、プリセットした条件に基づきＪＴ及びＣＳから１種の伝送モードを選定して、前記ダウンリンクＣｏＭＰ ＵＥに対して前記協調セルに採用される伝送モードとする場合、第２確定ユニット２２は、
前記ダウンリンクＣｏＭＰ ＵＥがプリセットした条件を満たす場合、前記ダウンリンクＣｏＭＰ ＵＥに対して前記協調セルに採用される伝送モードをＣＳ伝送に決定し、
さもなければ、前記ダウンリンクＣｏＭＰ ＵＥの、前記協調セルにおけるダウンリンクチャネルクオリティ値を取得し、前記ダウンリンクチャネルクオリティ値が所定のチャネルクオリティしきい値より大きいかを判断し、大きければ、前記ダウンリンクＣｏＭＰ ＵＥに対して前記協調セルに採用される伝送モードをＪＴ伝送に決定し、さもなければ、前記ダウンリンクＣｏＭＰ ＵＥに対して前記協調セルに採用される伝送モードをＣＳ伝送に決定する。
【００２８】
必要に応じて、前記ダウンリンクＣｏＭＰ ＵＥがプリセットした条件を満たす場合、前記ダウンリンクＣｏＭＰ ＵＥに対して前記協調セルに採用される伝送モードをＣＳ伝送に決定する場合、第２確定ユニット２２は、
前記ダウンリンクＣｏＭＰ ＵＥがＴＭ７及びＴＭ８モード以外の他のＴＭモードを採用すると決定する場合、前記ダウンリンクＣｏＭＰ ＵＥに対して前記協調セルに採用される伝送モードをＣＳ伝送に決定するか、または、
前記ダウンリンクＣｏＭＰ ＵＥのチャネルＳＲＳリソースと前記協調セルにおけるＵＥのＳＲＳリソースが衝突すると判断する場合、前記ダウンリンクＣｏＭＰ ＵＥに対して前記協調セルに採用される伝送モードをＣＳ伝送に決定するか、または、
前記ダウンリンクＣｏＭＰ ＵＥと少なくとも１つのダウンリンクＣｏＭＰ ＵＥによりリクエストしたＰＲＢ協調リソースが同一の協調セルにおいて重なると判断する場合、前記ダウンリンクＣｏＭＰ ＵＥに対して前記協調セルに採用される伝送モードをＣＳ伝送に決定する。
【００２９】
必要に応じて、各伝送モードに対応する協調セル数に基づき、ダウンリンクＣｏＭＰ ＵＥの伝送モードを決定する場合、処理ユニット２３は、
各伝送モードに対応する協調セル数に基づき、対応の協調セル数最大の少なくとも１種の伝送モードを選出し、
前記少なくとも１種の伝送モードに１種のみの伝送モードが含まれる場合、前記伝送モードを選定して前記ダウンリンクＣｏＭＰ ＵＥに採用される伝送モードとし、
前記少なくとも１種の伝送モードに少なくとも２種の伝送モードが含まれる場合、プリセットした伝送モードの優先順位により、前記少なくとも１種の伝送モードから最大優先順の伝送モードを選定し、前記最大優先順の伝送モードを前記ダウンリンクＣｏＭＰ ＵＥに採用される伝送モードとする。
【００３０】
よって、本発明に係る実施例によれば、ダウンリンクＣｏＭＰ ＵＥのサービングセルに対応するそれぞれの協調セルを決定し、それぞれの協調セルのセル負荷値を確定し、それぞれの協調セルのセル負荷値に基づき、前記ダウンリンクＣｏＭＰ ＵＥに対してそれぞれの協調セルに採用される伝送モードを決定し、各伝送モードに対応する協調セル数を確定し、各伝送モードに対応する協調セル数に基づき、前記ダウンリンクＣｏＭＰ ＵＥの伝送モードを決定し、こうして、従来ダウンリンクＣｏＭＰ技術がネットワーク環境を動的に適応できない問題点を解決できるようになり、ダウンリンクＣｏＭＰ性能全体を向上する。
【００３１】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【００３２】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【００３３】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
上述した実施形態に記述された技術的な解決手段を改造し、或いはその中の一部の技術要素を置換することもできる。そのような、改造と置換は本発明の各実施形態の技術の範囲から逸脱するとは見なされない。
【００３４】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
本出願は、２０１５年４月１４日に中国特許局に提出し、出願番号が２０１５１０１７５８９３.８であり、発明名称が「アダプティヴダウンリンクＣｏＭＰ伝送方法及び装置」との中国特許出願を基礎とする優先権を主張し、その開示の総てをここに取り込む。
【図１】
0006438597.tif 000002
【図２】
0006438597.tif 000003